(57)【特許請求の範囲】
【請求項１】
遊技機が設置される遊技島台内に設置され、該遊技島台内を循環する遊技媒体を移動させる遊技媒体通路を有し、前記遊技媒体の表面を清浄する清浄部材が上面に敷設された揺動板を揺動手段により水平方向に揺動することにより、遊技媒体流入部から前記遊技媒体通路上に流入される遊技媒体が清浄されて遊技媒体流出部から流出するとともに、前記揺動板上に新規な前記清浄部材を引き出す引出し手段を備える遊技媒体清浄装置であって、
前記遊技媒体の前記揺動板上からの落下を防止する落下防止部材が、前記揺動板の揺動に追従しないように設けられ、
前記遊技媒体の前記遊技媒体流出部からの流出を抑制する流出抑制手段が前記落下防止部材に設けられていることを特徴とする遊技媒体清浄装置。
【請求項２】
前記流出抑制手段は、前記遊技媒体流出部方向への前記遊技媒体の移動を規制する流出規制部材であり、該流出規制部材は前記揺動板の上方に設けられている請求項１に記載の遊技媒体清浄装置。
【請求項３】
前記流出規制部材は、前記遊技媒体流出部における遊技媒体の流出方向の左右側からそれぞれ内向きに延びるように設けられている請求項２に記載の遊技媒体清浄装置。
【請求項４】
前記流出規制部材における少なくとも前記遊技媒体との接触面は、低摩擦部材により構成されている請求項２または３に記載の遊技媒体清浄装置。
【発明の詳細な説明】
【０００１】
【発明の属する技術分野】
本発明は、遊技機にて遊技を行う際に使用される遊技媒体の表面を清浄する遊技媒体清浄装置に関する。
【０００２】
【従来の技術】
従来、遊技媒体としてのパチンコ玉やコイン等の表面を清浄する遊技媒体清浄装置として、例えば特開平１０−１５６０２９号公報に開示された装置等がある。この装置は、上面に清浄部材が敷設された揺動板が水平揺動することにより、前記清浄部材上に載置されるパチンコ玉やコイン等が清浄部材に摺接されて、その表面に付着された汚れやゴミ等が拭い取られるように構成されている。
【０００３】
さらに詳しくは、揺動板は、その下方に設けられるモータの回転軸に取り付けられる偏心部材に対して相対回転自在に固着されており、前記回転軸の回転に伴い揺動板が水平方向に揺動されるようになっている。
【０００４】
【発明が解決しようとする課題】
しかしながら、上記公報に記載の清浄装置においては、揺動板上に流入したパチンコ玉等はある程度揺動板上に滞留して清浄された後に流出部から流出されるが、揺動板上にパチンコ玉等が次々に流入すると、揺動板上に滞留しているパチンコ玉等は流入されたパチンコ玉等に押圧され、十分に清浄されないまま流出部から流出してしまうことがあった。
【０００５】
本発明は、このような問題点に着目してなされたもので、遊技媒体の表面の汚れやゴミ等を効果的に清浄することが出来る遊技媒体清浄装置を提供することを目的とする。
【０００６】
【課題を解決するための手段】
上記課題を解決するために、本発明の遊技媒体清浄装置は、遊技機が設置される遊技島台内に設置され、該遊技島台内を循環する遊技媒体を移動させる遊技媒体通路を有し、前記遊技媒体の表面を清浄する清浄部材が上面に敷設された揺動板を揺動手段により水平方向に揺動することにより、遊技媒体流入部から前記遊技媒体通路上に流入される遊技媒体が清浄されて遊技媒体流出部から流出するとともに、前記揺動板上に新規な前記清浄部材を引き出す引出し手段を備える遊技媒体清浄装置であって、前記遊技媒体の前記揺動板上からの落下を防止する落下防止部材が、前記揺動板の揺動に追従しないように設けられ、前記遊技媒体の前記遊技媒体流出部からの流出を抑制する流出抑制手段が前記落下防止部材に設けられていることを特徴としている。
この特徴によれば、揺動板が水平揺動することにより、清浄部材上に滞留する遊技媒体が清浄部材に摺接されて、その表面に付着された汚れやゴミ等が拭い取られる。また、清浄部材上の遊技媒体は遊技媒体流入部から流入される遊技媒体により遊技媒体流出部方向に押圧されることで流出するため、遊技媒体を遊技媒体流出部に向けて強制的に排出させる機構等を設ける必要がないとともに、清浄部材上の遊技媒体が遊技媒体流入部から流入される遊技媒体により遊技媒体流出部方向に押圧されても、流出抑制手段により遊技媒体の遊技媒体流出部からの流出が抑制されることにより遊技媒体が清浄部材上に長く滞留することになるため、清浄作用が効果的に高まる。また、揺動板の揺動とともに流出抑制手段が揺動することがないので、遊技媒体の流出抑制効果が低減することがない。
【０００８】
本発明の遊技媒体清浄装置は、前記流出抑制手段は、前記遊技媒体流出部方向への前記遊技媒体の移動を規制する流出規制部材であり、該流出規制部材は前記揺動板の上方に設けられていることが好ましい。
このようにすれば、遊技媒体の遊技媒体流出部方向への移動が確実に規制されるため、遊技媒体の流出が効果的に抑制される。
【０００９】
本発明の遊技媒体清浄装置は、前記流出規制部材は、前記遊技媒体流出部における遊技媒体の流出方向の左右側からそれぞれ内向きに延びるように設けられていることが好ましい。
このようにすれば、清浄部材上に流入した遊技媒体は、揺動板の揺動により揺動板の揺動中心周りに回転するように移動するため、揺動板における遊技媒体の移動方向左右側に流入した遊技媒体が流出規制部材により規制されることにより揺動板上に滞留しやすくなり、清浄作用が高まる。
【００１０】
本発明の遊技媒体清浄装置は、前記流出規制部材における少なくとも前記遊技媒体との接触面は、低摩擦部材により構成されていることが好ましい。
このようにすれば、遊技媒体の移動が妨げられることがなく、スムーズに案内されることになる。
【００１８】
【発明の実施の形態】
以下、本発明の実施例を図面に基づいて説明すると、まず図１には本発明の適用された遊技島台１が示されており、この遊技島台１は、前後面（後面は図示せず）に所定の台数（本実施例では４台）のパチンコ機２および該パチンコ機２に１対１に設けられるカードユニット３が配置され、内部にこれらパチンコ機２を稼動させるのに必要な適宜装置が収容されて１つの独立したユニット構成とされた遊技島台１’が、長手方向に複数連結されることにより構成されている。
【００１９】
なお、本実施例における遊技島台１’は、４台のパチンコ機１を設置可能に構成されているが、設置するパチンコ機の数量は限定されるものではなく、１台のパチンコ機のみ設置可能に構成されているものや、複数台のパチンコ機を設置可能に構成されていてもよい。
【００２０】
各遊技島台１’は、図１〜図３に示されるように、左右の側板４、４’と、これら側板４、４’上部を連結する上部フレーム５と、側板４、４’下部を連結する下部フレーム６と、遊技島台１’の前後面下部を覆う腰板７と、該腰板７上部に配設される膳板１０と、遊技島台１’の前後面上部を覆う幕板８及びランプ板９と、からなり、膳板１０上面にパチンコ機２やカードユニット３を載置出来るように構成されている。
【００２１】
膳板１０には、該膳板１０上に配設されるパチンコ機２に対応して玉受皿１２を有する玉計数装置１１が固設されており、各パチンコ機２の下皿１３より玉受皿１２内に排出されたパチンコ玉は、前面に設けられたスライドレバー１４を操作することで内部に設けられた適宜カウンタ（図示略）により計数された後、遊技島台１’内部下方に設けられた回収樋部１５に排出されるようになっている。
【００２２】
回収樋部１５の下方には、特に図２及び図３に示されるように、後述する本発明の第１の実施例としての清浄装置１７が配設されており、回収樋部１５より流入されるパチンコ玉を清浄して、その側方に配設される下部タンク１６内に排出するようになっている。また、下部タンク１６の側方には、下部タンク１６内に貯留されたパチンコ玉を、上下方向に延びる揚送樋１９を介して遊技島台１’の上部に配設される上部タンク２０に揚送する揚送装置１８が配設されている。
【００２３】
上部タンク２０の前後面所定箇所には、内部のパチンコ玉をパチンコ機２へ導く補給シュート２１ａと、内部のパチンコ玉をカードユニット３へ導く補給シュート２１ｂとがそれぞれ配設されている。また、膳板１０には、パチンコ機２より排出されるアウト玉を整流するとともに、そのアウト玉数をカウンタ２２にて計数した後に前記回収樋部１５に排出するアウト玉タンク２３が、各パチンコ機２の背面位置にそれぞれ配設されている。
【００２４】
このように、各遊技島台１’内のパチンコ玉は、揚送装置１８等を介して遊技島台１’内を循環するとともに、循環経路の途中で、遊技島台１’内の下方に配設された清浄装置１７により適宜清浄されるようになっている。
【００２５】
次に、本発明の実施例としての清浄装置１７の詳細を図面に基づいて説明する。
【００２６】
清浄装置１７は、図４及び図５に示されるように、装置の本体を構成する基体２４と、この基体２４上部に設けられるパチンコ玉の玉通路部２５（遊技媒体通路）と、玉通路部２５上を移動するパチンコ玉を清浄する清浄部材としてのシート部材Ｓを収納するための収納ユニット２６と、から主に構成されている。
【００２７】
基体２４は、図４及び図５に示されるように、底板２７と、２枚の側板２８とから、玉通路部２５におけるパチンコ玉の移動方向に対して左右側の側方が開口する箱状に構成されている。左右の側板２８、２８の上端部における前後側端部には、玉通路部２５を通過するパチンコ玉の落下を防止するガイドレール２９、２９の長手方向両端部がそれぞれ固着されている。
【００２８】
基体２４の内部には、前記収納ユニット２６が、側板２８、２８の内面下部に前後方向を向くように固着された引出しレール３０、３０を介して前方に引き出し自在に収容されている。また、底板２７の上面略中央位置には、特に図５に示されるように、玉通路部２５の底面の一部を構成する揺動板３２を水平方向に揺動自在に支持する支持盤３３を所定高さ位置に支持する枠体３１、３１の下端が、防振ゴム３４を介してネジ３５により固定されている。
【００２９】
支持盤３３の裏面には、図５〜図７に示されるように、揺動板３２を揺動させる揺動手段としてのモータ３６が、支持盤３３の略中央位置に形成された上下方向を向く挿通孔３８より挿通させた回転軸３７の先端が支持盤３３の上面より突出するように取り付けられている。３９は、内部に上下方向を向く貫通孔４０が形成された円柱形の偏心部材であり、この貫通孔４０内に回転軸３７を嵌挿し、外周面所定箇所に形成されたネジ孔（図示略）より螺入される固定ネジ（図示略）により回転軸３７に対して相対回転不能に取り付けられている。この貫通孔４０の中央軸心は、特に図７に示されるように偏心部材３９の中央軸心に対して偏心しており、回転軸３７の回転により偏心部材３９が偏心回転するようになっている。
【００３０】
偏心部材３９の外周下部には、円盤状のバランスウェイト４１が溶接により一体的に固着されており、偏心部材３９の偏心回転時におけるバランスが保持されるようになっている。このバランスウェイト４１には、図６（ｂ）に示されるように、バランスネジ４５ａ〜４５ｃを螺入可能な所定長さのネジ孔４６ａ〜４６ｃが、外周面所定箇所から中央部に向けてそれぞれ形成されている。
【００３１】
バランスネジ４５ａ、４５ｂは、主にこのバランスウェイト４１に対して溶接固定（図７参照）された偏心部材３９との相対回転方向周りの位置ずれにより生じる偏心バランスのずれを調整する際に使用されるものである。また、バランスネジ４５ｃは、後述するように偏心部材３９に対して揺動板３２が回動自在に枢着された状態において、例えば揺動板３２の成形精度等の要因により生じる偏心バランスのずれを調整する際に使用されるものであり、これらバランスネジ４５ａ〜４５ｃは偏心バランス調整手段として機能する。詳しくは偏心バランスを調整する際には、それぞれのバランスネジ４５ａ〜４５ｃのネジ孔４６ａ〜４６ｃ内への螺入量を調節したり、あるいは重量の異なるバランスネジ４５ａ〜４５ｃを螺入することにより調整出来る。よって、組み付ける揺動板３２の成形精度等が製品ごとに異なっていても、揺動板３２の組み付け後において偏心バランスを容易に調整出来る。
【００３２】
また、偏心部材３９の上端部には、摩擦抵抗低減部材としての環状のベアリング４３が嵌装されているとともに、このベアリング４３の外周には、揺動板３２の裏面略中央位置にネジ固定される筒状体４２が嵌合されている。筒状体４２は、特に図６に示されるように、揺動板３２にネジ固定するためのフランジ部４２ａと、筒状部４２ｂとから構成されており、筒状部４２ｂには上下方向を向く細長の切欠部４２ｃが複数箇所に形成されている。
【００３３】
よって、この筒状部４２ｂの内部にベアリング４３を嵌合した状態で、該筒状部４２ｂの周面に固定手段としてのホースバンド４４を嵌装し、これを締め付けることにより、筒状部４２ｂが切欠部４２ｃを介して変形してベアリング４３の外周面に強く押圧されて、筒状体４２がベアリング４３に対して相対回転不能に固定されるようになっている。これにより筒状体４２とベアリング４３との相対回転が防止される。
【００３４】
このように、筒状体４２は、ベアリング４３にビス等をねじ込んだりすることなく、固定手段としてのホースバンド４４を介してその外周面を締め付けるだけでベアリング４３の外周に嵌合された状態で相対回転不能に固定することが出来るため、ベアリング４３を損傷させる恐れがない。また、ホースバンド４４の締め付けを緩めるだけでベアリング４３から簡単に取り外すことが出来るため、モータ３６の交換、及びメンテナンス作業や、前述したような偏心バランスの調整を、揺動板３２を取り外した状態で容易に行うことが出来る。
【００３５】
また、本実施例における揺動板３２は、摩擦抵抗低減部材としてのベアリング４３を介して偏心部材３９に対して相対回転自在に設けられているが、ベアリング等を設けずに偏心部材３９との間にグリス等を充填することにより摩擦抵抗を低減させて偏心部材３９に対して相対回転自在に設けてもよい。
【００３６】
玉通路部２５の一部を構成する平面視矩形状に形成された揺動板３２の裏面四隅には、下端が支持盤３３の上面四隅に固着された回転規制部材４６の上端が固着されており、モータ３６の回転軸３７の回転に伴う揺動板３２の筒状体４２周りの回転が規制されるようになっている。詳しくは、回転規制部材４６は硬質ウレタン等により、上下端部側が中央部よりも拡径する支柱状に形成され、その中央部が変形自在になっており、その上下端部にそれぞれネジ固定される取付板４７が、支持盤３３の上面及び揺動板３２の裏面四隅にネジ固定されている。
【００３７】
このように弾性変形自在な硬質ウレタンにより成形された回転規制部材４６は、揺動板３２の偏心回転時において、その中央部が変形することにより揺動板３２の水平方向移動に追従して偏心移動が許容されるとともに（図８（ｂ）参照）、弾性復帰力により揺動板３２の筒状体４２周りの回動が防止される。さらに、この回転規制部材４６を介して揺動板３２と支持盤３３とが連結されていることになるため、偏心回転時における揺動板３２端部側の上下方向のあばれが抑制されるので、揺動時におけるパチンコ玉の飛び跳ね等が効果的に抑制される。
【００３８】
揺動板３２の上面全域には、高摩擦部材としてのゴムシート４８が貼着されており、パチンコ玉の清浄時における振動や、パチンコ玉との衝突による騒音等が吸収されるようになっているとともに、揺動板３２の揺動時における上面に敷設されるシート部材Ｓとの滑りが防止されている。そしてこのゴムシート４８の上面には、玉通路部２５を通過するパチンコ玉の表面に付着された汚れを除去する清浄部材としての布製のシート部材Ｓが、玉通路部２５の長手方向にわたって敷設される。
【００３９】
このシート部材Ｓは、後述するように収納ユニット２６内に収納された新規なシート部材Ｓが揺動板３２上に引き出されて敷設され、使用後は適宜巻取られるようになっている。このシート部材Ｓの材質は、ここでは柔軟性を有するコットン１００％の不織布が使用されている。ここでは、摩耗性に優れるとともに、帯電しにくく、かつ、低発塵性を有する不織布が使用されているため、シートが破損しにくいばかりか、パチンコ玉との摺接による静電気の発生が防止されるとともに、パチンコ玉との摺接や後述する巻取り時における発塵が少ないため、周囲の各装置内への粉塵の進入が防止される。なお、清浄部材としてのシート部材Ｓは、パチンコ玉の表面に付着された汚れを除去し得るものであれば材質は上記のような布製の不織布に限定されるものではなく、例えば織布や、紙等の他の素材からなるシート部材を使用することも可能である。
【００４０】
このように、揺動板３２上にシート部材Ｓが敷設されることで、後述するように揺動板３２が水平方向に高速偏心回転することにより、シート部材Ｓ上のパチンコ玉の表面がシート部材Ｓに擦りつけられて清浄されることになる。なお、清浄作用の詳細に関しては後述することとする。
【００４１】
モータ３６の回転軸３７に対して偏心する偏心部材３９の軸心周りに回動自在に枢着された揺動板３２は、図７及び図１４に示されるように、その上面とガイドレール２９の下面との間に、少なくともパチンコ玉の外径よりも小寸の隙間Ｐが形成されるように、ガイドレール２９よりも若干下方の高さ位置に支持されており、後述するようにその隙間からシート部材Ｓを挿通出来るようになっている。なお、特に図６及び図７に示されるように、揺動板３２における、玉通路部２５を通過するパチンコ玉の移動方向に対して左右側の端部には下方に向けて屈曲されて屈曲部３２ａが形成されており、挿通されるシート部材Ｓがゴムシート４８の上面にスムーズに案内されるようになっている。
【００４２】
また、両ガイドレール２９、２９は、揺動板３２の端部よりも内側に配設されているため、偏心回転時において揺動板３２が水平方向に移動しても（図８（ｂ）参照）、揺動板３２上端部寄りのパチンコ玉が落下することがないとともに、シート部材Ｓにおける長手方向端部が後述する板部材５４の内周縁５４ｃよりも内側に位置することがない。
【００４３】
この清浄装置１７においては、図５、図８及び図９において、パチンコ玉は玉通路部２５を図中左側から右側に向けて通過するようになっており、図中左側、すなわち玉通路部２５の上流側の両ガイドレール２９、２９間には、回収樋部１５より排出されたパチンコ玉を揺動板３２上に導く流入板４９、及び整流部材５０が取り付けられ、揺動板３２にパチンコ玉が上下方向に一列状態に整流されて流入するようになっており、これによりパチンコ玉の流入部５１が形成されている。
【００４４】
また、図中右側、すなわち玉通路部２５の下流側の両ガイドレール２９、２９間には、底面がパチンコ玉の移動方向に向けて下方に傾斜するとともに、揺動板３２を通過したパチンコ玉を下部タンク１６内に導く流出板５２が設けられており、これによりパチンコ玉の流出部５３が形成されている。
【００４５】
また、両ガイドレール２９、２９の下面には、特に図４、図７及び図８に示されるように、平面視略Ｌ字状に形成された板部材５４、５４がそれぞれ固着されている。詳しくは、両板部材５４、５４は、短片部５４ａと長片部５４ｂとからなり、揺動板３２上における流出部５３側端部に、その両短片部５４ａが互いに内向きに張り出すように設けられており、互いに対向する両短片部５４ａ、５４ａの先端部間にはパチンコ玉の流出領域１０６が形成されている。
【００４６】
このように両ガイドレール２９、２９の下面に固着された板部材５４は、特に図７に示されるように、パチンコ玉との接触面となるその内周縁５４ｃが揺動板３２上に張り出すように設けられており、玉通路部２５内に流入したパチンコ玉の揺動板３２上からの落下を防止する側壁として機能している。また、揺動板３２上に滞留するパチンコ玉の上半部所定箇所に当接する高さ位置に設けられているため、パチンコ玉の板部材５４の上面への乗り上げが防止されている。
【００４７】
また、長片部５４ｂと短片部５４ａとの連設部５５近傍の内周縁５４ｃは、長片部５４ｂに沿うように移動するパチンコ玉が流出部５３側に向けて案内されるように平面視略円弧状に形成されているため、玉通路部２５内に流入したパチンコ玉が長片部５４ｂと短片部５４ａとの連設部５５付近に滞留し続けたりすることなく、流出部５３側に向けてスムーズに移動するようになっている。さらに長片部５４ｂの上流側端部５６における内周縁５４ｃは、平面視で流入部５１側に向かうに従い外向きに傾斜するテーパ状に形成されているため、流入部５１幅方向端部側から流入するパチンコ玉が揺動板３２の内側にスムーズに案内されるようになっている。
【００４８】
さらに板部材５４は、低摩擦部材であるナイロン樹脂材により構成されているため、パチンコ玉との接触面となる内周縁５４ｃが低摩擦部材により構成されることになるため、内周縁５４ｃに接触するパチンコ玉をスムーズに移動させることが出来る。なお、パチンコ玉に接触しうる例えば内周縁５４ｃ近傍のみが低摩擦部材の表面により構成されていれば、板部材５４全体が低摩擦部材により構成されていなくてもよい。
【００４９】
そして、玉通路部２５における流出部５３側端部付近に、板部材５４の短片部５４ａがパチンコ玉の移動方向の左右側から内向きに張り出すように設けられていることにより、図８に示されるように、流出部５３側に向かって揺動板３２上における両長片部５４ｂ寄りを移動するパチンコ玉は、流出部５３の上流部側において、短片部５４ａにより流出部５３方向への移動が規制され、さらに円弧状に形成された内周縁５４ｃにより内向きに移動するように案内されることになる。よって、流入部５１から流入するパチンコ玉の流入圧等により揺動板３２上に滞留するパチンコ玉が流出部５３方向へ押圧されても、短片部５４ａにより流出部５３方向への移動が規制されるため、流入したパチンコ玉が容易に流出部５３から流出されることがない。
【００５０】
具体的には、両板部材５４、５４の短片部５４ａ、５４ａ互いに内向きに張り出すように設けられることにより、パチンコ玉の実際の流出領域１０６が狭まって流出量が規制されるとともに、揺動板３２上に滞留するパチンコ玉の流出方向への移動が規制されることになる。すなわち、板部材５４における短片部５４ａは、パチンコ玉の流出を抑制する流出抑制手段（パチンコ玉の流出方向への移動を規制する流出規制部材）として機能しており、揺動板３２上に流入したパチンコ玉が長く滞留することなく瞬時に通過して清浄が不十分のまま流出部５３から流出されることがない。よって、揺動板３２上に流入したパチンコ玉は揺動板３２上により長時間滞留することになるため、後述する清浄作用により十分に清浄された後に流出される。
【００５１】
また、図７〜図９に示されるように、揺動板３２の上方には、平面視で揺動板３２とほぼ同形に形成されるとともに、所定重量を有し、パチンコ玉をシート部材Ｓに向けて付勢する付勢手段としての板状の蓋部材５７が、その下面が揺動板３２上のパチンコ玉の上端部に載置されるように設けられている。揺動板３２上のシート部材Ｓ上に位置するパチンコ玉は、その上部にフリーな状態で載置される蓋部材５７の重量によりシート部材Ｓ方向に付勢されるので、飛び跳ねが確実に防止されるばかりか、シート部材Ｓに強く擦り付けられるため、揺動板３２の揺動時におけるシート部材Ｓにおける清浄作用が高まる。
【００５２】
この蓋部材５７は、両ガイドレール２９、２９により側方への移動が規制されており、また、この両ガイドレール２９、２９の内面上流側端部に固着された流入板４９の側板４９ａの肉厚により形成される段部５８、及び両ガイドレール２９、２９の内面下流側端部に固着された流出板５２の側板５２ａの肉厚により形成される段部５９により、玉通路部２５におけるパチンコ玉の移動方向への移動が規制されるようになっているため、パチンコ玉の移動にともなう回転や位置ずれ等が防止されている。
【００５３】
また、揺動板３２上にパチンコ玉がなくなった際には、その下面両端が板部材５４の上面に載置されて、揺動板３２の上方所定高さ位置に保持されるようになっており、落下が防止されている。さらに詳しくは、蓋部材５７は、その下面が揺動板３２上のパチンコ玉の上端よりもやや下方位置で板部材５４により落下不能に保持されるので、パチンコ玉は揺動板３２と蓋部材５７との間にスムーズに流入されることになるので、蓋部材５７による玉詰まり等が発生する恐れがない。
【００５４】
また、特に図９に示されるように、蓋部材５７における玉通路部２５の上流側の端部にはテーパ面５７ａが形成されており、パチンコ玉が玉詰まりすることなく揺動板３２と蓋部材５７との間にスムーズに進入されるようになっている。
【００５５】
また、特に図７に示されるように、蓋部材５７におけるガイドレール２９、２９側端部には、防音部材としてのゴム材１１５が取り付けられているため、揺動板３２の揺動時においてガイドレール２９、２９の内面と衝突して衝突音が発生することがない。
【００５６】
さらに、特に図示しないが、蓋部材５７の下面、すなわちパチンコ玉との当接面に低摩擦樹脂を塗布すること等により、その当接面を低摩擦樹脂層の表面により構成すれば、パチンコ玉は、蓋部材５７によりシート部材Ｓに付勢された状態でも下流側にスムーズに移動されることになる。
【００５７】
次に、収納ユニット２６について、図４、図５、及び図９〜図１４に基づいて説明する。
【００５８】
まず、収納ユニット２６は、前述したように基体２４に対して引き出しレール３０を介して引き出し自在に設けられている。全体は、図４、図５及び図９、図１１に示されるように、中空の芯材６０の外周に多重に巻回されたロール状のシート部材Ｓを収納可能とする上向きに開口する補給用箱体６１と、引き出したシート部材Ｓを中空の巻取り用芯材６２に巻回して収納することが可能な上向きに開口する収納用箱体６３と、が、それぞれ基体２４内への収納時においてモータ３６の両側に収納されるように、互いに所定距離離間した状態で前面板６４を介して一体化されることにより構成されている。なお、前面板６４の上端には取手６５が形成されている。
【００５９】
補給用箱体６１における前後内面下方には、特に図４、図８〜図１１に示されるように、前記芯材６０の長手方向端部を下方から受支する上向き円弧状の受部６７’が上端に形成された所定肉厚のガイド板６９、６９’がそれぞれ固着されているとともに、ガイド板６９、６９’の上方には、受部６７’に受支された芯材６０の上方への逸脱を規制する下向き円弧状の規制部７１’が下端に形成された所定肉厚のガイド板７３、７３’が、それぞれ回転軸７５’を介して回動自在に枢着されている。なお、ガイド板６９側の受部、規制部、回転軸は図示を省略する。
【００６０】
補給用箱体６１における前後内面にそれぞれ枢着されたガイド板７３、７３’は、両ガイド板７３、７３’を回動させる取手となるガイドバー７６を介してその上端部間が連結されて連動して回動するようになっている。なお、ガイドバー７６は、前後のガイド板７３、７３’の上端に対して軸心周りに回動自在に枢支されているとともに、バネ７７を介して反時計回り方向に常時付勢されている。
【００６１】
さらにガイドバー７６は、補給用箱体６１における前後内面上方に固着された係止板７８’の下端に形成された係合部７９’に対して両端部が係脱可能な係止片７６ａを有しており、特に図１０（ａ）に示されるように、芯材６０の両端を受部６７’に受支可能な状態から、図１０（ｂ）に示されるように、ガイドバー７６を持ってガイド板７３、７３’を時計回りに約９０度回動させて係止片７６ａの両端を係合部７９’に係止させることで、ガイド板７３、７３’の回動が規制され、受部６７’に受支された芯材６０の逸脱が規制部７１’により規制されるようになっている。なお、前側の係止板、係合部は図示を省略する。
【００６２】
なお、ガイドバー７６は、図１０（ｂ）のように係止片７６ａの両端が係合部７９’に係止された状態において、前記バネ７７の付勢作用により係止状態が保持されるようになっており、図１０（ｃ）に示されるように、ガイドバー７６を時計回りに回動させれば係止状態が解除され、ガイド板７３、７３’が回動可能となるため、新規なシート部材Ｓを引出し可能な状態にセットしたり、シート部材Ｓが引き出された芯材６０を取り出し出来る状態となる。
【００６３】
また、補給用箱体６１の上方所定高さ位置には、箱体内から引き出したシート部材Ｓを揺動板３２方向に折り返すための棒部材８４が前後方向に延びるように設けられており、折り返されたシート部材Ｓが揺動板３２の上面よりも若干上方の高さ位置に張設されるようになっている。
【００６４】
さらに補給用箱体６１の底面６１ａ上面には、特に図４及び図１２に示されるように、上面にゴムシート１１４が貼着された付勢板８６の下端が回動自在に枢着されている。この付勢板８６は、補給用箱体６１内に補給されたロール状のシート部材Ｓの外周面に前記ゴムシート１１４が当接されるように、図示されないコイルバネ等を介して上方に付勢されている。よって、後述するようなシート部材Ｓの引き出し時において、シート部材Ｓとゴムシート１１４との当接により摩擦抵抗が生じるようになり、これによりシート部材Ｓの引出し終了後において芯材６０の回転が規制されるため、シート部材Ｓが過剰に引き出されるのが防止される。また、揺動板３２上に引き出されたシート部材Ｓに撓みや捩れが生じにくくなるので、清浄作用が向上するばかりか、シート部材Ｓの引出しに支障をきたすことがない。
【００６５】
また、付勢板８６における回動中心側端部上面には、先端にローラ８５が回転自在に枢着された板部材１１６の端部が固着されており、ローラ８５は、その周面がロール状のシート部材Ｓの外周面に当接するように付勢された状態で、付勢板８６における中央部に形成された開口１１７内に収容されるようになっている。この板部材１１６におけるローラ８５の近傍には、ローラ８５の回転量を検出可能な検出センサ１０９が設けられている。検出センサ１０９は、後述する制御ユニット１０１内に設けられた制御部に電気的に接続されており、ローラ８５の回転量は前記制御部に出力されるようになっている。すなわち、ローラ８５の回転量に基づいてシート部材Ｓの引き出し量を検出するようになっており、この回転量に基づいて後述するシート部材Ｓの巻取り制御を行うようになっている。
【００６６】
また、付勢板８６は、図１２（ｂ）に示されるように、底面６１ａ上面からの傾斜角度θが予め定められた所定傾斜角度に達した時点で、付勢バネによる付勢方向への回動がストッパ８７を介して規制されるようになっており、芯材６０に巻回されたシート部材Ｓの残量が残り少なくなるとローラ８５がシート部材Ｓの外周面から離間して、シート部材Ｓが引き出されているにも関わらずローラ８５が回転しなくなる。このようにすることで、後述するようにシート部材Ｓの引出し制御がなされている状態でローラ８５の回転量が検出されない場合、ローラ８５に異常が生じたか、あるいはシート部材Ｓの残量が少なくなったものとしてエラー信号を外部に報知することが出来るようになる。
【００６７】
一方、収納用箱体６３における前後内面下方には、特に図４及び図１０に示されるように、前記巻取り用芯材６２の長手方向端部を下方から受支する上向き円弧状の受部６６、６６’が上端に形成された所定肉厚のガイド板６８、６８’がそれぞれ固着されているとともに、ガイド板６８、６８’の上方には、受部６６、６６’に受支された巻取り用芯材６２の上方への逸脱を規制する下向き円弧状の規制部７０’が下端に形成された所定肉厚のガイド板７２’が、それぞれ回転軸７４’を介して回動自在に枢着されている。なお、ガイド板６８側の上方に設けられるガイド板、規制部、回転軸は図示を省略する。
【００６８】
収納用箱体６３における前後内面にそれぞれ枢着されたガイド板７２’は、両ガイド板７２’を回動させる取手となるガイドバー８０を介してその上端部間が連結されて連動して回動するようになっている。なお、ガイドバー８０は、前後のガイド板７２’の上端に対して軸心周りに回動自在に枢支されているとともに、バネ８１を介して時計回り方向に常時付勢されている。
【００６９】
さらにガイドバー８０は、収納用箱体６３における前後内面上方に固着された係止板８２’の下端に形成された係合部８３’に対して両端部が係脱可能な係止片８０ａを有しており、特に図１０（ａ）に示されるように、巻取り用芯材６２の両端を受部６６、６６’に受支可能な状態から、図１０（ｂ）に示されるように、ガイドバー８０を持ってガイド板７２’を反時計回りに約９０度回動させて係止片８０ａの両端を係合部８３’に係止させることで、ガイド板７２’の回動が規制され、受部６６、６６’に受支された巻取り用芯材６２の逸脱が規制部７０’により規制されるようになっている。なお、前側の係止板、係合部は図示を省略する。
【００７０】
なお、ガイドバー８０は、図１０（ｂ）のようにその係止片８０ａの両端が係合部８３’に係止された状態において、前記バネ８１の付勢作用により係止状態が保持されるようになっており、図１０（ｃ）に示されるように、ガイドバー８０を反時計回りに回動させれば係止状態が解除され、ガイド板７２’が回動可能となるため、巻取り用芯材６２をセットしたり取り出し出来る状態となる。
【００７１】
また、収納用箱体６３の上方所定高さ位置には、揺動板３２上に張設されたシート部材Ｓを折り返すための棒部材８８が前後方向に延びるように設けられており、シート部材Ｓが揺動板３２の上面よりも若干上方の高さ位置に張設されるようになっている。
【００７２】
前面板６４の内面における収納用箱体６３と補給用箱体６１との間には、特に図１１、図１３に示されるように、シート部材Ｓを引き出して巻き取るための巻取りモータ８９が固設されている。巻取りモータ８９の回転軸９０は、前面板６４に形成された挿通穴１１７を介して前面側に延出されており、その先端には駆動プーリ９１が固着されている。この駆動プーリ９１と、その側方に設けられる従動プーリ９３とにはベルト９２が掛け渡されており、ベルト９２を介して駆動プーリ９１の回転力が従動プーリ９３に伝達されるようになっている。
【００７３】
従動プーリ９３は、図１１（ｂ）に示されるように、前面板６４に形成される挿通穴９４内に回動自在に挿通された軸部材９５を介して回動自在に設けられており、軸部材９５における収納用箱体６３内に延出された先端部には、巻取り用芯材６２の端部に形成された切欠溝９６に嵌合する棒状の係止部材９７（図１０参照）が固着された回転盤９８が固着されている。
【００７４】
また、従動プーリ９３の前面板６４側周縁所定箇所には、その側部に設けられた平面視略コ字状のフォトセンサ９９の透光部９９ａと受光部９９ｂとの間を遮蔽可能な遮蔽片１００が外向きに突出するように形成されており、このフォトセンサ９９の透光部９９ａと受光部９９ｂとの間に遮蔽片１００が位置した状態で、前記係止部材９７が上下方向を向くようになっている。すなわち、この状態が巻取り用芯材６２を収納用箱体６３内にセット可能な初期状態となる。
【００７５】
前面板６４の前面における補給用箱体６１寄りには、前述した各種センサ９９、１０９及び後述する各種センサ１０７、１０８センサからの出力に基づいて、巻取りモータ８９やモータ３６の駆動を制御するとともに、所定の信号を外部に出力可能な制御部等が設けられた制御ユニット１０１が設けられている。
【００７６】
次に、シート部材Ｓの装着方法を説明する。まず、図４に示されるように、収納ユニット２６を基体２４の手前側に引き出した後、図１０（ａ）に示されるように、ガイドバー７６、８０をそれぞれ外側に引き出した状態にする。ここで、補給用箱体６１内に、前述したように外周に新規なシート部材Ｓが多重に巻回された芯材６０の長手方向両端部をガイド板６９、６９’の受部６７’に受支させて新規なシート部材Ｓを引出し自在な状態で収納する。
【００７７】
一方、収納用箱体６３内には、前述したように外周に使用済みのシート部材Ｓ巻回するためのシート部材Ｓが巻回されていない巻取り用芯材６２を、この巻取り用芯材６２の一方側の端部に形成された切欠溝９６内に、上下方向を向いた位置で停止された係止部材９７を嵌合するように、その長手方向両端部をガイド板６８、６８’の受部６６、６６’に受支させて巻取り用芯材６２を回転自在な状態で装着しておく。
【００７８】
次いで、図１０（ｂ）中２点差線で示されるように、収納用箱体６１内に収納されたシート部材Ｓの一端を引き出し、棒部材８４の外周面に下方から上方に向けて巻き付けて内向きに折り返した後、反対側の棒部材８８まで引き出し、さらに棒部材８８の外周面に上方から下方に向けて巻き付けて折り返し、その端部を巻取り用芯材６２の周面所定箇所に例えば接着テープ等を介して貼着する。これにより図９及び図１３に示されるように、互いに離間する棒部材８４、８８間にシート部材Ｓが張設されることになる。
【００７９】
さらにここでガイドバー７６、８０をそれぞれ内向きに回転させ、係止片７６ａ、８０ａの両端部を係合部７９’、及び係合部８３’に係止させる。これにより、芯材６０の長手方向両端部周面が、受部６７’及び規制部７１’により逸脱不能に保持されるとともに、巻取り用芯材６２の長手方向両端部周面が、受部６６、６６’及び規制部７０’により逸脱不能に保持される。
【００８０】
次に、図１３及び図１４（ａ）に示されるように、基体２４から手前側に引き出された収納ユニット２６にシート部材Ｓが張設された状態で、図１４（ｂ）に示されるように収納ユニット２６を基体２４内に押し込む。この収納ユニット２６を基体２４内に収納する際において、棒部材８４、８８間に張設されたシート部材Ｓは、揺動板３２の上面に貼着されたゴムシート４８とガイドレール２９の下面との間に形成された隙間Ｐ内を挿通してゴムシート４８の上面に敷設されることになる。
【００８１】
このように揺動板３２上に敷設されたシート部材Ｓは、巻取りモータ８９の駆動に伴い係止部材９７が回転してシート部材Ｓが巻取り用芯材６２の外周に巻取られることにより、玉通路部２５におけるパチンコ玉の移動方向に移動して、新規なシート部材Ｓが揺動板３２における流入部５１側から引き出されることになる。
【００８２】
また、このように基体２４に収納されたシート部材Ｓを収納する収納ユニット２６が外方に引出し自在設けられ、補給用箱体６１や収納用箱体６３が基体２４の外部に引き出せるように構成されていることにより、使用済みのシート部材Ｓの取り出し、及び新規なシート部材Ｓの補給作業を容易に行えるばかりか、図３のように遊技島台１’内に設置した際、装置全体を移動することなく、収納ユニット２６のみを外方に引出して交換作業等を行えるため、作業性が向上する。
【００８３】
なお、図５に示されるように、基体２４内に収納された収納ユニット２６の補給用箱体６１の底板６１ａ、及び収納用箱体６３の底板６３ａの下面と基体２４の底板２７の上面との間には、防振用のゴム材１１８が介在されているため、揺動板３２の揺動により発生する振動が基体２４から収納ユニット２６に伝達されるのが防止される。また、このように構成される清浄装置１７は、脚部材１０４により支持される載置台１１９の上面に、台座１２０を介して載置された状態で遊技島台１内に設置される。
【００８４】
また、本実施例においては、収納ユニット２６は、玉通路部２５におけるパチンコ玉の移動方向に対して直交する方向に引き出し自在に設けられていたが、遊技媒体の移動方向に引出し自在に設けてもよい。また、シート部材Ｓの引出し方向は、パチンコ玉の移動方向と反対側であってもよいし、あるいは、パチンコ玉の移動方向に対して直交する方向に引出し自在に設けても良い。
【００８５】
次に、本実施例の清浄装置１７の揺動板３２の揺動手段としてのモータ３６、及び引出し手段としての巻取モータ８９の駆動制御内容を説明する。
【００８６】
まず図１６（ａ）、（ｂ）に示されるように、流入板４９の下面所定箇所には、前述した制御ユニット１０１内に設けられる制御部に電気的に接続された近接センサ１０７が設けられており、前記制御部は流入部５１内に所定量のパチンコ玉が貯留されたことが近接センサ１０７により検出された時点でモータ３６を駆動して、パチンコ玉の清浄を開始するようになっている。すなわち、玉通路部２５内にパチンコ玉がある程度滞留された時点でモータ３６が駆動して揺動板３２が揺動してパチンコ玉の清浄が行われるため、営業時間中においてモータ３６を常時駆動させている場合に比べて、モータ３６を無駄に駆動させることなく、パチンコ玉の清浄が効率的に行われることになる。
【００８７】
なお、モータ３６を例えば予め定められた所定時間間隔おきに所定時間駆動するように制御すること等も可能であり、特に前記近接センサ１０７を用いた駆動制御に限定されるものではない。
【００８８】
また、近接センサ１０７によるパチンコ玉の検出に基づいてモータ３６を駆動させる前記制御部（図示略）は、所定内容のプログラムに基づいてモータ３６の総駆動時間を内部の記憶部（図示略）に記憶するとともに、このモータ３６の総駆動時間に基づいて巻取モータ８９の駆動を実行するようになっている。
【００８９】
なお、流出板５２の裏面所定箇所には、制御ユニット１０１内に設けられる図示しない制御部に電気的に接続された近接センサ１０８が設けられており、前記制御部は、流出部５３の下流側にて何らかの要因、例えば玉詰まり等が発生していることが近接センサ１０８により検出された時点で、モータ３６の駆動を停止するようになっている。
【００９０】
ここで、上述したように制御ユニット１０１内に設けられた制御部が実施するモータ３６の駆動制御内容を図１８（ａ）、（ｂ）のフローチャートに基づいて説明する。
【００９１】
まず図１８（ａ）のフローチャートに基づいて、近接センサ１０７に基づくモータ３６の駆動制御内容を説明すると、まずＳａ１において、前記制御部は近接センサ１０７からのパチンコ玉の検出信号の出力があるか否かを判定し、検出があると判定した場合のみＳａ２に進んでタイマ１のカウントを開始した後、Ｓａ３において近接センサ１０７からのパチンコ玉の検出信号の出力が１０秒以上続いたか否かを判定する。検出が１０秒以上続いたと判定した場合はＳａ４に進み、１０秒以上続かなかったと判定した場合はＳａ１に戻る。
【００９２】
Ｓａ４においては、前回の駆動時におけるモータ３６の回転軸３７は右回転であったか否かを判定し、右回転であったと判定した場合はＳａ５に進み、モータ３６を駆動して回転軸３７を左回転で回転させた後にＳａ６に進み、また、右回転ではなかったと判定した場合はＳａ１０に進み、モータ３６を駆動して回転軸３７を右回転で回転させた後にＳａ６に進む。
【００９３】
Ｓａ６においては、近接センサ１０７からのパチンコ玉の検出信号の出力があるか否かを判定し、検出があると判定した場合のみＳａ７に進んでタイマ１のカウントを開始した後、Ｓａ８において近接センサ１０７からのパチンコ玉の検出信号の出力がない状態が１０秒以上続いたか否かを判定する。検出がない状態が１０秒以上続いたと判定した場合は、流入部５１へのパチンコ玉の流入がない、もしくは少ない状態であるもとしてＳａ９に進み、モータ３６の回転を停止した後処理を終了する。なお、Ｓａ８において検出がない状態が１０秒以上続かなかったと判定した場合はＳａ６に戻る。
【００９４】
次に、図１８（ｂ）のフローチャートに基づいて、近接センサ１０８に基づくモータ３６の駆動停止制御内容を説明すると、まずＳａａ１において、前記制御部は近接センサ１０８からのパチンコ玉の検出信号の出力があるか否かを判定し、検出があると判定した場合のみＳａａ２に進んでタイマ２のカウントを開始した後、Ｓａａ３において近接センサ１０８からのパチンコ玉の検出信号の出力が１０秒以上続いたか否かを判定する。
【００９５】
Ｓａａ３において近接センサ１０８からのパチンコ玉の検出信号の出力がＳａａ２の時点から１０秒以上続いたと判定した場合は、玉通路部２５の流出部５３の下流側から流入部５１にかけて玉詰まりが発生したものと判定してＳａａ４に進んでエラー報知を実施してＳａａ５に進み、モータ３６が駆動している場合にはモータ３６の駆動を停止する。また、この時点でモータ３６が駆動していない場合には、エラー報知が解除されるまでモータ３６が駆動されないように制御する。また、Ｓａａ３において近接センサ１０８からのパチンコ玉の検出信号の出力がＳａａ２の時点から１０秒以上続かなかったと判定した場合は、エラーが発生していないものとしてＳａａ１に戻る。
【００９６】
このように、玉通路部２５内に所定量のパチンコ玉が流入された時点でモータ３６が回転して玉通路部２５内のパチンコ玉の清浄が開始されるとともに、玉通路部２５内に滞留するパチンコ玉が少なくなると清浄が停止されるため、余計な電力等を消費することなく効率よく清浄が行われる。また、流出部５３の下流側にて何らかの要因（例えば玉詰まり等）によりパチンコ玉が流出されずに滞留している状況下においてパチンコ玉の清浄が続けられることがないので、トラブルが発生しているにも関わらず無駄に清浄がなされることがないばかりか、二次的なトラブルの発生等を防止できる。
【００９７】
また、モータ３６が駆動する度にモータ３６の回転方向が逆転するようになっているため、玉通路部２５内にパチンコ玉が偏って滞留したり、清浄にむらが生じることがないため、清浄効果が低減することがない。また、揺動板３２の上面に敷設されたシート部材Ｓにおける揺動板３２の偏心回転方向への捩れ等が逆回転により解消されるため、シート部材Ｓの破断等が防止される。
【００９８】
さらに、例えばモータ３６の回転軸３７の右回転もしくは左回転が予め定められた所定時間（例えば２０分間）連続して実行された場合等において、モータ３６の回転軸３７を逆回転させるようにしてもよい。このようにすれば、上記のような制御内容に基づいてモータ３６を所定方向に回転させる場合において、長時間にわたって右回転もしくは左回転が連続することがなくなるため、揺動板３２上に敷設されたシート部材Ｓが偏心回転方向に偏ったり、玉通路部２５内の所定箇所にパチンコ玉が偏って滞留した状態が続いて清浄効果が低減するといったことを防止出来る。
【００９９】
次に、制御ユニット１０１内に設けられる制御部が実施する巻取りモータ８９の制御内容を図１９のフローチャートに基づいて説明する。
【０１００】
制御部は、まずＳｂ１においてモータ３６の駆動を開始したか否かを判定し、モータ３６が駆動したと判定した場合、駆動時間のカウントを開始してＳｂ２に進み、駆動していない場合はＳｂ１に戻る。Ｓｂ２においては、モータ３６の総駆動時間が前記記憶部に予め登録された所定時間（例えば６０秒）に達したか否かを判定し、前記所定時間に達したと判定した場合はＳｂ３に進んで巻取モータ６８を駆動し、所定時間に達していないと判定した場合はＳｂ２に戻る。
【０１０１】
Ｓｂ３において巻取モータ６８が駆動されると、Ｓｂ４において、ローラ８５の検出センサ１０９を介してローラ８５の回転数の検出を実行するとともに、その回転が検出された場合はＳｂ５に進み、前記記憶部に予め登録された回転数（ここではシート部材Ｓを約１ｃｍ引き出すために必要な回転数）に達したか否かを判定し、前記予め登録された回転数に達したと判定した場合はＳｂ６に進むとともに、Ｓｂ５において前記予め登録された回転数に達していないと判定した場合は再びＳｂ４に戻る。
【０１０２】
また、Ｓｂ４においてローラ８５の回転が検出されない場合は、前述したように、ローラ８５がシート部材Ｓから離間されている状態、すなわち、芯材６０に巻回されたシート部材Ｓの残量が残り少なくなったか、あるいは検出センサ１０８やローラ８５の回転不良等のエラーが発生したと判断し、Ｓｂ８においてこれを外部の例えば管理コンピュータ等に出力し、シート部材Ｓの交換時期が近づいたか、あるいは動作不良等によるエラーの発生等が報知されることになる。そしてＳｂ６において巻取モータ６８の駆動を停止し、シート部材Ｓの引き出し動作を終了する。
【０１０３】
このような制御プログラムに基づいて巻取モータ８９が駆動すると、図９に示されるように、巻取り用芯材６２が軸周りに回転して芯材６０に巻回された新規なシート部材Ｓが揺動板３２上に引き出されるとともに、それまで揺動板３２上に敷設されていた汚れたシート部材Ｓが巻取り用芯材６２の外周にコンパクトに巻回される。
【０１０４】
すなわち、新規なシート部材Ｓが玉通路２５上に少量ずつ引き出され、汚れたシート部材Ｓが巻回されていくことになるため、パチンコ玉の清浄作用の低下が抑制される。また、汚れたシート部材Ｓは巻取り用芯材６２に巻回されてコンパクトに収容されるため、巻取り用芯材６２を収納用箱体６３内から取り出すだけで、シート部材Ｓを容易に交換することが出来る。
【０１０５】
また、巻取モータ８９は、モータ３６が駆動している状態においてのみ駆動するように制御されており、揺動板３２の水平揺動によりパチンコ玉が回転している状態でシート部材Ｓの引き出しが行われることになるため、引出し時におけるシート部材Ｓとパチンコ玉、及びシート部材Ｓとゴムシート４８との間に生じる摩擦抵抗が軽減することになり、揺動板３２上に敷設されたシート部材Ｓ上にパチンコ玉が載置されている状態にあっても比較的小さな力でシート部材Ｓを引き出すことが出来るため、巻取モータ８９に負荷がかかることがない。
【０１０６】
また、本実施例においては、新規なシート部材Ｓが所定時間間隔おき（６０秒おき）に所定長さ（約１ｃｍ）ずつ引き出されるようになっているが、このシート部材Ｓの引き出し長さは任意に設定可能であり、例えば玉通路部２５の長手幅分ずつシート部材Ｓが一度に引き出されるようにしてもよい。
【０１０７】
また、本実施例における巻取モータ８９は、モータ３６の駆動時間が予め定められた所定時間に達した時点で駆動するようになっているが、モータ３６の駆動時間に関わらず、予め定められた所定時間間隔おきに駆動するように制御してもよい。
【０１０８】
そして巻取モータ８９によるシート部材Ｓの引出し量が、前述したように補給用箱体６１内に補給されたシート部材Ｓの外周面に当接され、シート部材Ｓの引出しとともに回転するローラ８５の回転量が検出センサ１０９により検出されるようになっているため、シート部材Ｓが実際に引き出された量に基づいて巻取りモータ８９の駆動を制御できるため、巻取モータ８９の回転軸９０の回転を検出する場合に比べて簡単な制御で、シート部材Ｓを所定長さずつ正確に引き出すことが出来る。
【０１０９】
さらに、前記制御部は巻取モータ８９を駆動させている状態においてローラ８５の回転が検出されなかった場合、前述したようにローラ８５がシート部材Ｓから離間された状態、すなわち芯材６０に巻回されたシート部材Ｓの残量がわずかとなった、もしくは検出センサ１０９やローラ８５の動作不良と判断して、例えばホール内の管理コンピュータや、あるいは遊技島台１の所定箇所に設けられる表示装置等にエラー信号を出力するようになっているため、シート部材Ｓが汚れた状態で清浄が続けられるようなことがない。
【０１１０】
また、巻取モータ８９は、モータ３６に連動して駆動するようになっているが、モータ３６の駆動に関わらず、予め定められた所定時間間隔おきに駆動するように制御してもよい。
【０１１１】
なお、本実施例における回収樋部１５は、図１５及び図１７に示されるように、清浄装置１７にパチンコ玉を導く排出樋１５ａの反対側にはパチンコ玉を下部タンク１６に直接導くオーバーフロー樋１５ｂが形成されており、特に図１７に示されるように、排出樋１５ａの上流側までパチンコ玉が滞留した場合、新たに回収されるパチンコ玉はオーバーフロー樋１５ｂを介して下部タンク１６の上面に形成される穴部１６ｂから落下されるようになっている。よって、例えば短時間内に大量のパチンコ玉が回収されたり、清浄装置１７のモータ３６が故障した場合等にあっても、パチンコ玉の循環が滞ることがない。
【０１１２】
次に、本実施例の清浄装置１７におけるパチンコ玉の清浄作用を図面に基づいて説明する。
【０１１３】
清浄装置１７は、図２、図３、図１５、図１６に示されるように、回収樋部１５の一部を構成する排出樋１５ａの最下流部に形成される排出部１０２の下方に流入部５１が位置し、かつ、流出部５３の下流側が、下流側端部が下部タンク１６の側面に形成される穴部１６ａ内に遊挿される中継樋１０３の上流側端部に隣接するように配設される。
【０１１４】
また、清浄装置１７を所定高さ位置に支持する載置台１１９の脚部材１０４の下端は、防振ゴム１０５（図１５参照）を介して床面Ｆ上に直接接地される。すなわち、流出板５２や流入板４９を含める清浄装置１７を構成する各部位が、遊技島台１’や、その内部に配設される各種部材や装置等に対して非接触状態となるように遊技島台１’内下部に配設されるため、揺動板３２の揺動による装置全体に生じる振動が周辺に伝達して周辺の各種部材や装置等に悪影響を及ぼすことがない。
【０１１５】
回収樋部１５内に回収されたパチンコ玉は、排出樋１５ａを流下して排出部１０２から下方に落下されて流入部５１内に流入された後、整流部材５０を介して１列状態に整流された後に玉通路部２５に流入し、さらに玉通路部２５内にて清浄された後、流出部５３から流出して中継樋１０３を流下して下部タンク１６内に排出されることになる。
【０１１６】
ここで、図６及び図７に示されるように、この玉通路部２５の底面を構成する揺動板３２は、前述のようにモータ３６の回転軸３７に対して偏心する偏心部材３９の上端にベアリング４３を介して相対回転可能に取り付けられる筒状体４２に取り付けられているため、モータ３６を駆動させて回転軸３７が高速回転されると偏心部材３９が偏心回転し、それに伴い揺動板３２が水平方向に偏心回転して揺動されることになる。この揺動板３２の水平揺動に伴い、シート部材Ｓの上面に載置される各パチンコ玉が回転されてその表面がシート部材Ｓに対して擦り付けられることになり、玉通路部２５を通過する間にパチンコ玉の表面に付着した汚れやゴミ等がシート部材Ｓに拭い取られて清浄されることになる。
【０１１７】
そして平面視略細長矩形状に形成された揺動板３２の下面四隅は、回転規制部材４６を介して基体２４内所定高さ位置に支持された支持盤３３に連結されているため、偏心回転に伴い筒状体４２周りに回転することがないばかりか、揺動板３２の端部に生じる上下方向のあばれが抑制され、揺動板３２が円滑に、かつ安定して水平揺動されるようになっている。
【０１１８】
さらに、揺動板３２上に位置するパチンコ玉は、付勢手段としての蓋部材５７によりシート部材Ｓに付勢されることにより、揺動板３２の揺動時における飛び跳ね等が防止されるばかりか、シート部材Ｓに確実に擦り付けられることになるので、清浄作用が効果的に高まる。
【０１１９】
また、蓋部材５７により付勢されるパチンコ玉によりシート部材Ｓがゴムシート４８に圧接されるため、揺動板３２の水平揺動がシート部材Ｓに効果的に伝達されて清浄作用が高まるばかりか、揺動により生じる接触音等が抑制される。
【０１２０】
また、流入部５１から玉通路部２５内の揺動板３２上に流入されるパチンコ玉は、図８に示されるように、モータ３６の回転軸３７が回転して揺動板３２が反時計回りに偏心回転した際には、前述したようにパチンコ玉それぞれはシート部材Ｓとの摺接作用により多方向に回転しながら、かつ、揺動板３２上を図中矢印方向で示されるように、反時計回りに回転するように移動しながら滞留することになる。逆に、モータ３６の回転軸３７が回転して揺動板３２が時計回りに偏心回転した際には、パチンコ玉それぞれはシート部材Ｓとの摺接作用により多方向に自転しながら、かつ、揺動板３２上を反時計回りに回転するように移動しながら滞留することになる。
【０１２１】
ここで、流出部５１からパチンコ玉が次々に流入されると、揺動板３２上を回転しながら滞留するパチンコ玉が流入されたパチンコ玉に押圧され、流出部５３側に向かって移動するように押圧されるが、流出部５３の上流側にそれぞれ流出方向の左右側から内向きに張り出すように設けられた板部材５４の短片部５４ａに当接して流出方向への移動が規制されるため、流出部５３からのパチンコ玉の流出が効果的に抑制され、パチンコ玉は揺動板３２上に長く滞留する。すなわち、滞留時間が長くなることで確実に清浄された後に流出部５３から流出される。
【０１２２】
詳しくは、パチンコ玉の流出を抑制する流出抑制手段としての短片部５４ａは、流出部５３の上流側所定箇所に、パチンコ玉の流入方向に対してほぼ直交する方向を向くように設けられるため、玉通路部２５内のパチンコ玉に流入部５１から流入するパチンコ玉による流入圧が加わることで、パチンコ玉が流出部５３に向け押し出されて流出部５３から容易に流出することがなくなる。
【０１２３】
また、板部材５４における連設部５５付近の内周縁５４ｃは円弧状に形成されているため、ガイドレール２９に沿うように設けられた板部材５４の内周縁５４ｃに沿うように流出部５３方向に移動するパチンコ玉は、連設部５５近傍に滞留し続けることがないばかりか、揺動板３２の偏心回転方向に移動するように案内されるため、流出部５３側まで移動したパチンコ玉が再び揺動板３２の上流側に向けて移動されて滞留し続けるようになる。
【０１２４】
次に図２０には、板部材５４の変形例が示されている。
【０１２５】
図２０（ａ）に示される板部材５４’は、短片部５４ａ’の内周縁５４ｃ’における先端部付近に、折返し部１２１が形成されている。このように形成されることにより、板部材５４’の内周縁５４ｃ’に沿うように流出部５３側に向けて移動するパチンコ玉は、短片部５４ａ’の先端部付近にて折返し部１２１を介して流入部５１側に向けて案内されるため、流出領域１０６から容易に流出することがなくなる。すなわち、揺動板３２上により長時間滞留することになるため、清浄効果を高めることが出来る。
【０１２６】
また、図２０（ｂ）に示される板部材５４’’は、流入部５１の幅方向における一方側の端部からパチンコ玉が流入されるように設けられているとともに、流出領域１０６が幅方向における反対側端部に形成されるように設けられている。このように板部材５４’’が設けられることにより、玉通路部２５内における流入部５１側から流出部５３側に向けて直線的に移動する場合に比べて移動距離が長くなるとともに、揺動板３２の偏心回転時において、揺動板３２上に流入したパチンコ玉は、内周縁５４ｃ’’に案内されて揺動板３２上を回転するように移動させられることになるため、揺動板３２上により長時間滞留することになる。このように、板部材５４の形状は任意に変形可能である。
【０１２７】
次に図２１〜図２３には、パチンコ玉の流出抑制手段の他の実施形態が示されている。
【０１２８】
図２１に示される流出抑制手段は、流出部５３の上流側付近に、パチンコ玉に当接する下限位置とパチンコ玉から離間する上限位置との間をソレノイド１１０を介して移動自在に設けられたシャッタ部材１１１により構成されている。このようなシャッタ部材１１１を、例えば所定時間間隔おきにソレノイド１１０を介して開閉させることで、パチンコ玉の流出部５３からの流出を規制したり許容することが出来るようにすることで、パチンコ玉を揺動板３２上に所定時間強制的に滞留させた後、流出可能な状態として流出させることが可能となる。このようにしても、パチンコ玉を揺動板３２上に確実に長時間滞留させることが出来る。
【０１２９】
また、図２２に示される流出抑制手段は、流出部５３の流出板５２の上面に、流出部５３の幅方向に延びるように突設された隆起部１１２により構成されている。このような隆起部１１２が設けられることにより、揺動板３２上に滞留するパチンコ玉が流入するパチンコ玉により押圧されても、パチンコ玉は隆起部１１２を乗り越えなければならないため、容易に押し出されて流出することがない。また、所定以上の流入圧がかかればパチンコ玉は隆起部１１２の上面を乗り上げて流出される。このようにしても、パチンコ玉を揺動板３２上に確実に長時間滞留させることが出来る。
【０１３０】
さらに、図２３に示される流出抑制手段は、流出部５３の流出板５２の上面に流出部５３の幅方向に延びるように凹設された凹溝１１３により構成されている。このような凹溝１１３が形成されることにより、揺動板３２上に滞留するパチンコ玉が流入するパチンコ玉により押圧されても、パチンコ玉は凹溝１１３内に落ち込んだ後に浮上しなければならないため、容易に押し出されて流出することがない。また、所定以上の流入圧がかかれば凹溝１１３内に落ち込んだパチンコ玉は流出される。このようにしても、パチンコ玉を揺動板３２上に確実に長時間滞留させることが出来る。
【０１３１】
以上説明してきたように、パチンコ玉の流出抑制手段は、上記実施例に示した流出規制部材としての板部材５４の短片部５４ａのように、揺動板３２上の一部のパチンコ玉の流出を規制するように固定的に設けられたものに限定されるものではなく、シャッタ部材１１１のように、揺動板３２上の全てのパチンコ玉の流出を規制可能に、かつ、流出を許容する際には退避するように移動自在に設けられたものでもよい。また、隆起部１１２や凹溝１１３のように、パチンコ玉に所定以上の圧力が加わった場合にのみ流出されるように構成されたものでもよい。
【０１３２】
また、パチンコ玉の流出抑制手段としての板部材５４、シャッタ部材１１１、隆起部１１２、凹溝１１３は、揺動板３２とは別個に形成される部材（ガイドレール２９、流出板５２等）、すなわち、揺動板３２の偏心回転の影響を受けない部材に設けられているため、揺動板３２の偏心回転により、流出抑制手段による流出の抑制効果が低減するようなことがない。
【０１３３】
前記各実施例における各要素は、本発明に対して以下のように対応している。
【０１３４】
本発明の請求項１は、遊技機（パチンコ機２）が設置される遊技島台（１、１’）内に設置され、該遊技島台内を循環する遊技媒体（パチンコ玉）を移動させる遊技媒体通路（玉通路部２５）を有し、前記遊技媒体の表面を清浄する清浄部材（シート部材Ｓ）が上面に敷設された揺動板（３２）を揺動手段（モータ３６）により水平方向に揺動することにより、遊技媒体流入部（５１）から前記遊技媒体通路上に流入される遊技媒体が清浄されて遊技媒体流出部（５３）から流出するとともに、前記揺動板上に新規な前記清浄部材を引き出す引出し手段（巻取りモータ８９）を備える遊技媒体清浄装置（１７）であって、前記遊技媒体の前記揺動板上からの落下を防止する落下防止部材（ガイドレール２９、板部材５４）が、前記揺動板の揺動に追従しないように設けられ、前記遊技媒体の前記遊技媒体流出部からの流出を抑制する流出抑制手段（短片部５４ａ）が前記落下防止部材に設けられている。
【０１３６】
本発明の請求項２は、前記流出抑制手段は、前記遊技媒体流出部方向への前記遊技媒体の移動を規制する流出規制部材（板部材５４）であり、該流出規制部材は前記揺動板（３２）の上方に設けられている。
【０１３７】
本発明の請求項３は、前記流出規制部材（板部材５４）は、前記遊技媒体流出部（５３）における遊技媒体の流出方向の左右側からそれぞれ内向きに延びるように設けられている。
【０１３８】
本発明の請求項４は、前記流出規制部材（板部材５４）における少なくとも前記遊技媒体との接触面は、低摩擦部材により構成されている。
【０１４６】
以上、本発明の実施例を図面により説明してきたが、具体的な構成はこれら実施例に限られるものではなく、本発明の要旨を逸脱しない範囲における変更や追加があっても本発明に含まれる。
【０１４７】
また、本発明請求項中に記載の「遊技媒体」は、上記実施例における球状のパチンコ玉に対応しているが、特にこれに限定されるものではなく、例えば遊技機としてのスロットマシン等に使用されるコイン等であってもよい。
【０１４８】
【発明の効果】
本発明は以下の効果を奏する。
【０１４９】
（ａ）請求項１項の発明によれば、揺動板が水平揺動することにより、清浄部材上に滞留する遊技媒体が清浄部材に摺接されて、その表面に付着された汚れやゴミ等が拭い取られる。また、清浄部材上の遊技媒体は遊技媒体流入部から流入される遊技媒体により遊技媒体流出部方向に押圧されることで流出するため、遊技媒体を遊技媒体流出部に向けて強制的に排出させる機構等を設ける必要がないとともに、清浄部材上の遊技媒体が遊技媒体流入部から流入される遊技媒体により遊技媒体流出部方向に押圧されても、流出抑制手段により遊技媒体の遊技媒体流出部からの流出が抑制されることにより遊技媒体が清浄部材上に長く滞留することになるため、清浄作用が効果的に高まる。また、揺動板の揺動とともに流出抑制手段が揺動することがないので、遊技媒体の流出抑制効果が低減することがない。
【０１５１】
（ｂ）請求項２項の発明によれば、遊技媒体の遊技媒体流出部方向への移動が確実に規制されるため、遊技媒体の流出が効果的に抑制される。
【０１５２】
（ｃ）請求項３項の発明によれば、清浄部材上に流入した遊技媒体は、揺動板の揺動により揺動板の揺動中心周りに回転するように移動するため、揺動板における遊技媒体の移動方向左右側に流入した遊技媒体が流出規制部材により規制されることにより揺動板上に滞留しやすくなり、清浄作用が高まる。
【０１５３】
（ｄ）請求項４項の発明によれば、遊技媒体の移動が妨げられることがなく、スムーズに案内されることになる。
【図面の簡単な説明】
【図１】本発明の適用された遊技島台を示す斜視図である。
【図２】図１の遊技島台の内部構造を示す正面図である。
【図３】図１の遊技島台の内部構造を示す側面図である。
【図４】清浄装置全体を示す斜視図である。
【図５】図４の清浄装置の要部縦断面図である。
【図６】（ａ）は揺動板の揺動構造を示す分解斜視図であり、（ｂ）はバランスウェイトを示す平面図である。
【図７】図５のＡ−Ａ断面図である。
【図８】（ａ）は玉通路部を示す平面図であり、（ｂ）は揺動板の揺動によりパチンコ玉が清浄されている状態を示す拡大断面図である。
【図９】図５の要部拡大断面図である。
【図１０】（ａ）〜（ｃ）は芯材の取付方法を示す概略図である。
【図１１】（ａ）は取付ユニットの平面図であり、（ｂ）は（ａ）の要部を示す一部破断平面図である。
【図１２】（ａ）（ｂ）は芯材に巻回されたシート部材Ｓが引き出されていく状態を示す概略図である。
【図１３】取付ユニットにシート部材Ｓが張設された状態の清浄装置を示す斜視図である。
【図１４】（ａ）はシート部材が張設された取付ユニットが基体部から引き出された状態を示す断面図であり、（ｂ）は（ａ）の状態から取付ユニットが基体部内に収納される状態を示す断面図である。
【図１５】清浄装置が設置された遊技島台内におけるパチンコ玉の循環状態を示す概略図である。
【図１６】（ａ）は流入部を示す拡大図であり、（ｂ）は流出部を示す拡大図である。
【図１７】図１５の要部拡大断面図である。
【図１８】（ａ）は近接センサ１０７に基づく揺動板の駆動制御内容を示すフローチャートであり、（ｂ）は近接センサ１０８に基づく揺動板の駆動停止制御内容を示すフローチャートである。
【図１９】巻取モータの駆動制御内容を示すフロー図である。
【図２０】規制部材の変形例を示す概略図である。
【図２１】流出抑制手段の変形例を示す図である。
【図２２】同じく流出抑制手段の変形例を示す図である。
【図２３】同じく流出抑制手段の変形例を示す図である。
【符号の説明】
１、１’            遊技島台
２                  パチンコ機
３                  カードユニット
４、４’            側板
５                  上部フレーム
６                  下部フレーム
７                  腰板
８                  幕板
９                  ランプ板
１０                膳板
１１                玉計数装置
１２                玉受皿
１３                下皿
１４                スライドレバー
１５                回収樋部
１５ａ              排出樋
１５ｂ              オーバーフロー樋
１６                下部タンク
１６ａ、１６ｂ      穴部
１７                清浄装置
１８                揚送装置
１９                揚送樋
２０                上部タンク
２１ａ、２１ｂ      補給シュート
２２                カウンタ
２３                アウト玉タンク
２４                基体
２５                玉通路部
２６                収納ユニット
２７                底板
２８                側板
２９                ガイドレール
３０                引出しレール
３１                枠体
３２                揺動板
３２ａ              屈曲部
３３                支持盤
３４                防振ゴム
３５                ネジ
３６                モータ
３７                回転軸
３８                挿通孔
３９                偏心部材
４０                貫通孔
４１                バランスウェイト
４２                筒状体
４２ａ              フランジ部
４２ｂ              筒状部
４２ｃ              切欠部
４３                ベアリング
４４                ホースバンド
４５ａ〜４５ｃ      バランスネジ
４６ａ〜４６ｃ      ネジ孔
４６                回転規制部材
４７                取付板
４８                ゴムシート
４９                流入板
４９ａ              側板
５０                整流部材
５１                流入部
５２                流出板
５２ａ              側板
５３                流出部
５４、５４’、５４’’板部材
５４ａ、５４ａ’、５４ａ’’短片部
５４ｂ              長片部
５４ｃ、５４ｃ’、５４ｃ’’内周縁
５５                連設部
５６                上流側端部
５７ａ              テーパ面
５７                蓋部材
５８、５９          段部
６０                芯材
６１                補給用箱体
６１ａ              底面
６２                芯材
６３                収納用箱体
６３ａ              底板
６４                前面板
６５                取手
６６、６６’        受部
６７’              受部
６８、６８’        ガイド板
６９、６９’        ガイド板
７０’              規制部
７１’              規制部
７２’              ガイド板
７３、７３’        ガイド板
７４’              回転軸
７５’              回転軸
７６                ガイドバー
７６ａ              係止片
７７                バネ
７８’              係止板
７９’              係合部
８０                ガイドバー
８０ａ              係止片
８１                バネ
８２’              係止板
８３’              係合部
８４                棒部材
８５                ローラ
８６                付勢板
８７                ストッパ
８８                棒部材
８９                巻取りモータ
９０                回転軸
９１                駆動プーリ
９２                ベルト
９３                従動プーリ
９４                挿通穴
９５                軸部材
９６                切欠溝
９７                係止部材
９８                回転盤
９９                フォトセンサ
９９ａ              透光部
９９ｂ              受光部
１００              遮蔽片
１０１              制御ユニット
１０２              排出部
１０３              中継樋
１０４              脚部材
１０５              防振ゴム
１０６              流出領域
１０７              近接センサ
１０８              近接センサ
１０９              検出センサ
１１０              ソレノイド
１１１              シャッタ部材
１１２              隆起部
１１３              凹溝
１１４              ゴムシート
１１５              ゴム材
１１６              板部材
１１７              挿通穴
１１８              ゴム材
１１９              載置台
１２０              台座
１２１              折返し部
Ｆ                  床面
Ｐ                  隙間
Ｓ                  シート部材
【図１】
0004711377.tif 000002
【図２】
0004711377.tif 000003
【図３】
0004711377.tif 000004
【図４】
0004711377.tif 000005
【図５】
0004711377.tif 000006
【図６】
0004711377.tif 000007
【図７】
0004711377.tif 000008
【図８】
0004711377.tif 000009
【図９】
0004711377.tif 000010
【図１０】
0004711377.tif 000011
【図１１】
0004711377.tif 000012
【図１２】
0004711377.tif 000013
【図１３】
0004711377.tif 000014
【図１４】
0004711377.tif 000015
【図１５】
0004711377.tif 000016
【図１６】
0004711377.tif 000017
【図１７】
0004711377.tif 000018
【図１８】
0004711377.tif 000019
【図１９】
0004711377.tif 000020
【図２０】
0004711377.tif 000021
【図２１】
0004711377.tif 000022
【図２２】
0004711377.tif 000023
【図２３】
0004711377.tif 000024